(57)【要約】【課題】共同玄関の解錠用暗証コード、各住戸に設置したセキュリティーシステムの警戒解除用暗証コードを各住戸に応じて任意に設定でき、設定した暗証コードも部外者に特定し難い上に、住戸者にも覚えやすい、使い勝手に優れた集合住宅セキュリティー管理システムを提供する。【解決手段】共同玄関にロビーインターホン２を設置し、各住戸にセキュリティーシステムを監視する住戸用情報端末器５、管理人室などに警報監視盤１を設置し、呼出と、相互通話を可能にした集合住宅セキュリティー管理システムにおいて、セキュリティーシステムの警戒解除のための暗証コードを、住戸用情報端末器５に登録すると、住戸用情報端末器５から警報監視盤１に転送して、共同玄関Ｄの解錠のための暗証コードとして登録される構成にしている。【選択図】図１
2004086637.tif 000002
【特許請求の範囲】
【請求項１】
集合住宅の共用玄関に設置されたロビーインターホンと、集合住宅の各住戸内に設置された住戸用情報端末器と、警報監視盤とを通話線を介して接続され、かつ、各住戸用情報端末器は、各住戸に設置したセキュリティーシステムを暗証コードを入力させて警戒解除する機能を備えるとともに、上記ロビーインターホンは、共同玄関に設置された電気錠を暗証コードを入力させて解錠するようにしている集合住宅セキュリティー管理システムにおいて、
上記セキュリティーシステムの警戒を解除するための暗証コードが上記各住戸に設置された住戸用情報端末器に登録されたときには、登録された暗証コードを、上記住戸用情報端末器から上記警報監視盤に転送して、共同玄関の電気錠を解錠するための暗証コードとして登録させ、その暗証コードを上記ロビーインターホンに入力操作させることによって上記共同玄関の電気錠を解錠させる構成している、集合住宅セキュリティー管理システム。
【請求項２】
請求項１において、
上記セキュリティーシステムの警戒を解除するための暗証コードが上記住戸用情報端末器に登録される毎に、登録された暗証コードを上記警報監視盤に転送する構成としている、集合住宅セキュリティー管理システム。
【請求項３】
請求項１において、
上記セキュリティーシステムの警戒を解除するための暗証コードが上記住戸用情報端末器に登録される毎に、登録された暗証コードを保持しておき、上記ロビーインターホンにおいて上記暗証コードが入力されたときには、上記警報監視盤からの指示により、上記住戸用情報端末器に保持した上記暗証コードが上記警報監視盤に転送される構成としている、集合住宅セキュリティー管理システム。
【請求項４】
請求項１〜３のいずれかにおいて、
上記住戸用情報端末器は、必要な制御と、信号処理とを行う信号処理部と、上記セキュリティーシステムの警戒を解除するための暗証コードを入力設定するための操作設定手段と、上記警報監視盤との間で制御信号を送受させるための信号伝送処理部とを少なくとも備えており、かつ、
上記警報監視盤は、共同玄関の電気錠を解錠するための暗証コードを登録した管理メモリと、上記ロビーインターホン、上記住戸用情報端末器との間で制御に必要な信号を送受するための信号伝送処理部とを少なくとも備えている、集合住宅セキュリティー管理システム。
【請求項５】
請求項４において、
上記住戸用情報端末器は、上記セキュリティーシステムの警戒を解除するための暗証コードを登録する毎に、登録した暗証コードを上記警報監視盤に送信し、上記警報監視盤では、上記暗証コードを受信して、上記管理メモリに登録するようにしている集合住宅セキュリティー管理システム。
【請求項６】
請求項４において、
上記住戸用情報端末器は、上記操作設定手段を、上記セキュリティーシステムの警戒を解除するための暗証コードを含む各種の設定情報を記憶するメモリを更に備えており、
上記警報監視盤は、上記住戸用情報端末器をアクセスした際に、その住戸用情報端末器から返信されてくる上記設定情報から、上記セキュリティーシステムの警戒を解除するための暗証コードを抽出して、上記管理メモリに登録するようにしている集合住宅セキュリティー管理システム。
【請求項７】
集合住宅の共用玄関に設置されたロビーインターホンと、集合住宅の各住戸内に設置された住戸用情報端末器と、警報監視盤とを通話線を介して接続され、かつ、上記住戸用情報端末器は、各住戸用情報端末器は、各住戸に設置したセキュリティーシステムを暗証コードを入力させて警戒を解除させる機能を備えるとともに、上記ロビーインターホンは、共同玄関に設置された電気錠を、暗証コードを入力させて解錠するようにしている集合住宅セキュリティー管理システムにおいて、
上記共同玄関の電気錠を解錠するために上記ロビーインターホンに入力させる暗証コードが、上記セキュリティーシステムの警戒を解除するため上記住戸用情報端末器に暗証コードとして入力させる各住戸の住戸番号を複数回繰り返したリピート暗証コードとして特定され、そのリピート暗証コードを上記ロビーインターホンに入力操作させることによって、上記共同玄関の電気錠を解錠させる構成にしている、集合住宅セキュリティー管理システム。
【請求項８】
請求項７において、
上記セキュリティーシステムの警戒を解除するための暗証コードが上記住戸用情報端末器に登録される毎に、登録された暗証コードを上記リピート暗証コードとして警報監視盤に転送する構成としている、集合住宅セキュリティー管理システム。
【請求項９】
請求項７において、
上記セキュリティーシステムの警戒を解除するための暗証コードが上記住戸用情報端末器に登録される毎に、登録された暗証コードを保持しておき、上記ロビーインターホンにおいて上記暗証コードが入力されたときには、上記警報監視盤からの指示により、上記住戸用情報端末器に保持した上記暗証コードが上記リピート暗証コードとして上記警報監視盤に転送される構成としている、集合住宅セキュリティー管理システム。
【請求項１０】
請求項７〜９のいずれかにおいて、
上記警報監視盤は、共同玄関の電気錠を解錠させるための暗証コードを設けており、
上記住戸用情報端末器は、上記セキュリティーシステムの警戒解除のための暗証コードを登録する毎に、登録した暗証コードを上記警報監視盤に送信し、上記警報監視盤では、上記暗証コードを受信して予め特定された複数回だけ繰り返したリピート暗証コードとして上記管理メモリに登録するようにしている集合住宅セキュリティー管理システム。
【請求項１１】
請求項７〜９のいずれかにおいて、
上記警報監視盤は、共同玄関の電気錠を解錠させるための暗証コードを設けており、
上記住戸用情報端末器は、上記セキュリティーシステムの警戒解除のための暗証コードを登録する毎に、登録した暗証コードを予め特定された複数回だけ繰り返したリピート暗証コードに変更して上記警報監視盤に送信し、上記警報監視盤では、受信した上記リピート暗証コードを上記管理メモリに登録するようにしている集合住宅セキュリティー管理システム
【請求項１２】
請求項７〜１１のいずれかにおいて、
上記住戸用情報端末器は、上記セキュリティーシステムの警戒解除のための暗証コードを含む各種の設定情報を記憶するメモリを更に備えており、
上記警報監視盤は、上記住戸用情報端末器をアクセスした際に、その住戸用情報端末器から返信されてくる上記設定情報から、上記セキュリティーシステムの警戒を解除するための暗証コードを抽出し、その暗証コードを予め設定された複数回だけ繰り返したリピート暗証コードを、上記共同玄関を解錠するための暗証コードとして上記管理メモリに登録するようにしている集合住宅セキュリティー管理システム。
【請求項１３】
請求項１〜１２のいずれかにおいて、
上記操作設定手段は、所定のキー操作によって、暗証番号登録モードに移行させてから、操作キーを操作し、暗証コードを入力して登録させる構成にしている集合住宅セキュリティー管理システム。
【請求項１４】
請求項１〜１３のいずれかにおいて、
暗証番号登録モードへの移行時と、終了時には、上記住戸用情報端末器の表示部における表示態様を、通常の表示態様とは異なる態様に変化させるようにしている集合住宅セキュリティー管理システム。
【請求項１５】
請求項１〜１４のいずれかにおいて、
上記セキュリティーシステムは、住戸内に設置された防犯センサー、防災センサーなどの発報を監視するものである集合住宅セキュリティー管理システム。
【発明の詳細な説明】
【０００１】
【発明の属する技術分野】
本発明は、集合住宅において広く使用されている集合住宅セキュリティー管理システムに関する。
【０００２】
【従来の技術】
集合住宅セキュリティー管理システムとしては、共用玄関にロビーインターホンを設置し、各住戸内には住戸用情報端末器を設置し、これらを通話線、制御線を介して警報監視盤に接続して構成されたシステムが従来より、広く使用されているが、近時にあっては、更に、各住戸用情報端末器に、各住戸に設置した防犯システムを暗証コードを入力させて警戒解除する機能を備えるとともに、ロビーインターホンは、共同玄関に設置された電気錠を暗証コードを入力させて解錠するようにしたものが使用されている。
【０００３】
図１０は、このような集合住宅セキュリティー管理システムを示しており、このものは、管理人室などに設置された警報監視盤１００より、通話線と制御線とで構成した通話制御線Ｌ１と、映像線Ｌ２を導出し、通話制御線Ｌ１、映像線Ｌ２に映像制御盤３００を接続し、通話制御線Ｌ１にはロビーインターホン２を接続している。また、ロビーインターホン２００と映像制御盤３００は、映像線Ｌ２を通じて接続されている。
【０００４】
また、映像制御盤３００からは、２分配器４００を通じて更に通話制御線Ｌ１、映像線Ｌ２が導出され、各住戸のドアホン６００が接続され、各住戸のドアホン６００には、通話制御線Ｌ１、映像線Ｌ２を通じて住戸用情報端末器５００が接続されている。
【０００５】
更に、警報監視盤１００からは、制御線Ｌ３が導出され、共同玄関Ｄの施解錠を制御する電気錠制御盤７００が接続されている。
【０００６】
更に、各住戸の住戸用情報端末器５００には、ガス感知器Ｓ１、火災感知器Ｓ２、防犯センサＳＷ１、増設スピーカＳＰ、防犯セットスイッチＳ２、非常時に操作して他の住居人を呼ぶ非常用押釦Ｓ３が接続されている。
【０００７】
なお、警報監視盤１００、住戸用情報端末器５００、防犯センサＳＷ１で、防犯システムを構成している。
【０００８】
このような構成によれば、警報監視盤１００とロビーインターホン２００間、警報監視盤１００と住戸用情報端末器５００間、ロビーインターホン２００と住戸用端末器５００間で、呼出、通話ができる。なお、ロビーインターホン２００と住戸用情報端末器５００とでは、映像線Ｌ２を通じて、互いの映像を見ながら通話できる。
【０００９】
また、住戸用情報端末器５００での操作により、警報監視盤１００を通じて電気錠制御盤７００に解錠信号を出力することによって、共同玄関の電気錠を解錠させることができ、また、ロビーインターホン２００での所定操作によっても解錠できる。
【００１０】
また、防犯セットスイッチＳＷ２により防犯警戒状態とされているときに、防犯センサが閉じ、発報すると、住戸用情報端末器５００は、警報監視盤１００にその旨を通知し、所定の防犯警報を出力させる。
【００１１】
【発明が解決しようとする課題】
ところで、このようなシステムでは、ロビーインターホンを操作して、共同玄関の電気錠を解錠する際と、各住戸に設置された住戸用情報端末器を操作しての、各住戸に設置されたセキュリティーシステムの警戒を解除する際には、それぞれ暗証コードの入力が必要となるが、従来は、それぞれに対応した暗証コードを記憶しておかなければならず、高齢者や子供などにとっては記憶をとどめておくことが困難であった。
【００１２】
また、記憶しやすくするためには、記憶に残りやすい暗証コードを設定しておけばよいが、先述の二者のうち、セキュリティー警戒解除のための暗証コードは各住戸人毎に設定しているから記憶にとどめやすいが、ロビーインターホンの暗証コードは全世帯共通であるため、各自で任意に設定できない。
【００１３】
更に、暗証コードの入力はテンキー操作で行うが、高齢者や子供などにとっては操作しにくく、特にロビーインターホンの場合では、同一の操作キーを皆が入力するため、手垢などの汚れが残り、部外者でもその暗証コードの特定がしやすくなり、セキュリティ上問題であった。
【００１４】
本発明は、上記事情を考慮して提案されるものであり、ロビーインターホンの解錠操作、各住戸のセキュリティー警戒状態の解除のための暗証コードを各住戸に応じて任意に設定でき、設定した暗証コードも部外者に特定し難いのでセキュリティ上も優れた集合住宅セキュリティー管理システムを提供することを目的としている。
【００１５】
【課題を解決するための手段】
上記目的を達成するために、本発明では、２つのシステム構成を提案している。
【００１６】
すなわち、第１のシステム構成は、請求項１〜６において提案されており、住戸用情報端末器側で、その住戸に設置したセキュリティーシステムの警戒を解除するための暗証コードが登録されると、登録された暗証コードは、警報監視盤に転送され、そこで共同玄関の解錠用暗証コードとして自動的に登録されるようになっている。
【００１７】
そのため、住戸に設置したセキュリティーシステムの警戒解除用と、共同玄関の解錠用とに対して、同一の暗証コードを使用でき、暗証コードの記憶がしやすく、記憶に残りやすいものとなる。
【００１８】
すなわち、この第１のシステム構成は、請求項１では、セキュリティーシステムの警戒を解除するための暗証コードが各住戸に設置された住戸用情報端末器に登録されたときには、登録された暗証コードを、住戸用情報端末器から警報監視盤に転送して、共同玄関の電気錠を解錠するための暗証コードとして登録させ、その暗証コードをロビーインターホンに入力操作させることによって共同玄関の電気錠を解錠させる構成している。
【００１９】
そのため、各住戸人は、各住戸で用いる、セキュリティーシステムの警戒解除用の暗証コードを記憶していれば、その暗証コードを、共同玄関の解錠用として用いることができるので、従来のように、それぞれの用途に応じて、２種類の暗証コードを記憶しておく必要がなく、利便にできる。
【００２０】
請求項２では、セキュリティーシステムの警戒を解除するための暗証コードが住戸用情報端末器に登録される毎に、登録された暗証コードを警報監視盤に転送する構成としている。
【００２１】
そのため、住戸用情報端末器に、セキュリティーシステムの警戒解除のための暗証コードを登録すれば、即座に、それが、警報監視盤に転送され、共同玄関の解錠用の暗証コードとして登録することができ、利便にできる。
【００２２】
請求項３では、セキュリティーシステムの警戒を解除するための暗証コードが住戸用情報端末器に登録される毎に、登録された暗証コードを保持しておき、ロビーインターホンにおいて暗証コードが入力されたときには、警報監視盤からの指示により、住戸用情報端末器に保持した暗証コードが警報監視盤に転送される構成としている。
【００２３】
そのため、セキュリティーシステムの警戒解除用の暗証コードを住戸用情報端末器に登録しておけば、ロビーインターホンでの共同玄関の解錠操作時にのみ、暗証コードが警報監視盤に転送され、警報監視盤に暗証コードを登録しておく必要がなく、警報監視盤のメモリ容量の節約ができる。
【００２４】
請求項４では、住戸用情報端末器は、必要な制御と、信号処理とを行う信号処理部と、セキュリティーシステムの警戒を解除するための暗証コードを入力設定するための操作設定手段と、警報監視盤との間で制御信号を送受させるための信号伝送処理部とを少なくとも備えており、かつ、警報監視盤は、共同玄関の電気錠を解錠するための暗証コードを登録した管理メモリと、上記ロビーインターホン、住戸用情報端末器との間で制御に必要な信号を送受するための信号伝送処理部とを少なくとも備えている。
【００２５】
そのため、住戸用情報端末器、警報監視盤、ロビーインターホンの３者のうち、いずれか２者間における、呼出、通話をするという、従来からの基本動作をするとともに、住戸用情報端末器において、セキュリティーシステムの警戒解除用の暗証コードを登録すれば、その暗証コードが、警報監視盤に共同玄関の電気錠解錠用として自動的に登録される。
【００２６】
請求項５では、住戸用情報端末器は、セキュリティーシステムの警戒を解除するための暗証コードを登録する毎に、登録した暗証コードを警報監視盤に送信し、警報監視盤では、暗証コードを受信して、管理メモリに登録するようにしている。
【００２７】
そのため、住戸用情報端末器に対して、暗証コードを、セキュリティーシステムの警戒解除用として登録すれば、即座に、その暗証コードが警報監視盤に対して、共同玄関の解錠用として登録することができ、利便にできる。
【００２８】
請求項６では、住戸用情報端末器は、操作設定手段を、セキュリティーシステムの警戒を解除するための暗証コードを含む各種の設定情報を記憶するメモリを更に備えており、警報監視盤は、住戸用情報端末器をアクセスした際に、その住戸用情報端末器から返信されてくる設定情報から、セキュリティーシステムの警戒を解除するための暗証コードを抽出して、管理メモリに登録するようにしている。
【００２９】
そのため、暗証コードを、住戸用情報端末器に、セキュリティーシステムの警戒解除用として登録さえしておけば、後ほど、警報監視盤からそのコードを取りにいけばよいので、警報監視盤から住戸用情報端末器に対して、その端末器のアドレスを指定したポーリングをするという従来からの多重伝送方式をそのまま用いることができ、ソフトウェアの開発の手間が省ける。
【００３０】
また、同時に提案される第２のシステム構成は、請求項７〜１２において提案されており、このシステムでは、住戸用情報端末器側で、その住戸番号が、その住戸に設置したセキュリティーシステムの警戒を解除するための暗証コードとして登録されると、登録された住戸番号は、警報監視盤に転送され、そこでは、登録された住戸番号を複数回繰り返したリピート暗証コードとして共同玄関の解錠用暗証コードが自動的に登録されるようになっている。
【００３１】
そのため、住戸のセキュリティーシステムの警戒解除のための暗証コードを、個別に暗記しておく必要がない。
【００３２】
すなわち、この第２のシステム構成は、請求項７では、共同玄関の電気錠を解錠するためにロビーインターホンに入力させる暗証コードが、各住戸に設置したセキュリティーシステムの警戒を解除するため暗証コードとして入力させる住戸番号を複数回繰り返したリピート暗証コードとして特定され、そのリピート暗証コードをロビーインターホンに入力操作させて、共同玄関の電気錠を解錠させる構成にしている。
【００３３】
そのため、住戸人は、共同玄関を解錠する際には、暗証コードとして、各住戸毎に設定したセキュリティーシステム警戒解除用のものを複数回入力すればよく、暗証コードが別であっても記憶しやすい。
【００３４】
請求項８では、セキュリティーシステムの警戒を解除するための暗証コードが住戸用情報端末器に登録される毎に、登録された暗証コードをリピート暗証コードとして警報監視盤に転送する構成としている。
【００３５】
そのため、住戸用情報端末器に、セキュリティーシステムの警戒解除のための暗証コードを登録すれば、即座に、それが、リピート暗証コードとして警報監視盤に転送され、共同玄関の解錠用の暗証コードとして登録することができ、利便にできる。
【００３６】
請求項９では、セキュリティーシステムの警戒を解除するための暗証コードが住戸用情報端末器に登録される毎に、登録された暗証コードを保持しておき、ロビーインターホンにおいて暗証コードが入力されたときには、警報監視盤からの指示により、住戸用情報端末器に保持した暗証コードがリピート暗証コードとして警報監視盤に転送される構成としている。
【００３７】
そのため、セキュリティーシステムの警戒解除用の暗証コードを住戸用情報端末器に登録しておけば、ロビーインターホンでの共同玄関の解錠操作時にのみ、暗証コードがリピート暗証コードとして警報監視盤に転送され、警報監視盤にリピート暗証コードを登録しておく必要がなく、警報監視盤のメモリ容量の節約ができる。
【００３８】
請求項１０では、住戸用情報端末器は、セキュリティーシステムの警戒解除のための暗証コードを登録する毎に、登録した暗証コードを警報監視盤に送信し、警報監視盤では、暗証コードを受信して予め特定された複数回だけ繰り返したリピート暗証コードとして管理メモリに登録するようにしている。
【００３９】
そのため、住戸用情報端末器に対して、暗証コードを、セキュリティーシステムの警戒解除用として登録すれば、即座に、その暗証コードが、警報監視盤に対して、リピート暗証コードとして、共同玄関の解錠用として登録することができ、利便にできる。
【００４０】
請求項１１では、住戸用情報端末器は、セキュリティーシステムの警戒解除のための暗証コードを登録する毎に、登録した暗証コードを予め特定された複数回だけ繰り返したリピート暗証コードに変更して警報監視盤に送信し、警報監視盤では、受信したリピート暗証コードを管理メモリに登録するようにしている。
【００４１】
そのため、警報監視盤では、受信したリピート暗証コードをそのまま管理メモリに登録すればよいので、警報監視盤の制御プログラムの大幅な変更を必要としない。
【００４２】
請求項１２では、住戸用情報端末器は、操作設定手段をセキュリティーシステムの警戒解除のための暗証コードを含む各種の設定情報を記憶するメモリを更に備えており、警報監視盤は、住戸用情報端末器をアクセスした際に、その住戸用情報端末器から返信されてくる設定情報から、セキュリティーシステムの警戒を解除するための暗証コードを抽出し、その暗証コードを予め設定された複数回だけ繰り返したリピート暗証コードを、共同玄関を解錠するための暗証コードとして管理メモリに登録するようにしている。
【００４３】
そのため、住戸用情報端末器に、暗証コードを、セキュリティーシステムの警戒解除用として登録さえしておけば、後ほど、警報監視盤からそのコードを取りにいけばよいので、警報監視盤から住戸用情報端末器に対して、その端末器のアドレスを指定したポーリングをするという従来からの多重伝送方式をそのまま用いることができ、ソフトウェアの開発の手間が省ける。
【００４４】
請求項１３では、操作設定手段は、所定のキー操作によって、暗証番号登録モードに移行させてから、操作キーを操作し、暗証コードを入力して登録させる構成にしている。
【００４５】
そのため、暗証コードの登録方法が部外者には理解しにくく、セキュリティー性を高くすることができる。
【００４６】
請求項１４では、暗証番号登録モードへの移行時と、終了時には、住戸用情報端末器の表示部における表示態様を、通常の表示態様とは異なる態様に変化させるようにしている。
【００４７】
そのため、通常他の用途に用いる表示手段を、暗証コード登録モード実行中であることを示すものに転用でき、別途それを設ける必要がなくなる。
【００４８】
更に、請求項１５では、上記第１、２のシステム構成に含まれるセキュリティーシステムについて言及しており、セキュリティーシステムは、住戸内に設置された防犯センサー、防災センサーなどの発報を監視するものであることを特徴としている。
【００４９】
【発明の実施の形態】
以下に、本発明の実施の形態について、図面とともに説明する。図１は、本発明システムの概略全体構成の一例を示す図である。
【００５０】
ロビーインターホン２を設けた集合住宅の共同玄関には、電気錠制御盤７によって解錠されたときに扉を開き、扉を閉じた後は自動的に施錠するオートロックドアＤが設置され、管理人室には、警報監視盤１が設けられ、この警報監視盤１は、増幅器、分配器４などを介在させ、制御通話線Ｌ１を通じて各住戸に設置した住戸用端末器５に接続されている。
【００５１】
各住戸の玄関には、ドアホン６が設けられ、このドアホン６は、住戸内に設置した住戸用端末器５と制御通話線Ｌ１、映像線Ｌ２を通じて接続され、玄関先からの呼出に対して、住戸内で応答し通話ができるようになっている。
【００５２】
また、各住戸に設置された住戸用情報端末器には、ガス検知器Ｓ１、火災感知器Ｓ２、防犯センサＳＷ１などのセキュリティーセンサが接続付加されて、セキュリティーシステムを構成しており、住戸用情報端末器５は、これらのセキュリティーセンサが発報すれば、室内やドアホン６を通じて住戸外にアラームを鳴動させるとともに、警報監視盤１にも異常報知信号が伝送されて、警報監視盤１に報知がなされるが、住戸人が帰宅した際には、住戸用情報端末器５に予め登録した暗証コードを入力すれば、セキュリティーシステムによる警戒監視の状態が解除されるようになっている。
【００５３】
なお、ＳＰは住戸用情報端末器より離れた室などに設置して、玄関先のドアホン６の呼出音、住戸用情報端末器５からのアラーム音を出力するための増設スピーカ、ＳＷ２は防犯センサを警戒状態に設定するセットスイッチ、ＳＷ３は非常時、緊急時に使用する呼出ボタンである。
【００５４】
また、３は映像制御盤であり、この映像制御盤３は、ロビーインターホン２、各住戸に設置した住戸用情報端末器５に映像線Ｌ２を介して接続されており、ロビーインターホン２に内蔵させた監視カメラ（不図示）を駆動して、監視カメラで撮像した映像信号を、警報監視盤１や各住戸に組み込んだ住戸用情報端末器５のモニタテレビに伝送して通話時に相手側の映像を映し出し出来るようにしている。
【００５５】
なお、図例のシステムでは、ロビーインターホン２、住戸用情報端末器５、警報監視盤１の相互では相手側の顔を見ながら通話ができるテレビインターホン通話システムを構成しているが、本発明はこの例に限られず、通話のみが可能なシステムであってもよい。
【００５６】
このようなシステムによれば、次のような基本動作が可能である。
【００５７】
１）ロビーインターホン２、警報監視盤１から住戸用情報端末器５を呼出し、住戸用情報端末器５が応答すれば、相互に相手の映像を見ながらの通話ができる。
【００５８】
２）ロビーインターホン２からの呼出に応答して、来客を確認して解錠操作すれば、共同玄関のオートロックドアＤの電気錠を解錠させて、来客を集合住宅内に招き入れることが出来る。
【００５９】
３）各住戸人が、ロビーインターホン２に対して暗証コードを入力すると、共同玄関のオートロックドアＤの電気錠を解錠させて、集合住宅内に入ることが出来る。
【００６０】
４）各住戸人は、各住戸から外出する際に、防犯システムを警戒状態にセットすることができ、帰宅後は、予め登録した暗証コードを入力操作すれば、防犯システムの警戒状態を解除できる。
【００６１】
ところで、本発明は、以上のようなシステム構成において、住戸用情報端末器５側で、その住戸に設置したセキュリティーシステムの警戒を解除するための暗証コードが登録されると、登録された暗証コードは、警報監視盤１に転送され、そこで共同玄関の解錠用暗証コードとして自動的に登録される点を特徴にしている。
【００６２】
なお、本発明システムにおけるセキュリティーシステムの警戒解除は、セキュリティーシステムの警戒解除のみに限定されず、防災システムの警戒解除を含むものである。
【００６３】
以下、本発明システムを構成する各部の構成を説明する。
【００６４】
図２は、本発明システムの要部をなす住戸用情報端末器と、警報監視盤の概略構成を示している。
【００６５】
住戸用情報端末器５は、接続付加したセキュリティーセンサの発報監視と、玄関先に設置したドアホン６との呼出、通話、呼出元の警報監視盤１やロビーインターホン２との呼出に応答し、通話するために必要な制御と、システムの端末器として必要な信号処理とを行う信号処理部５０と、警報監視盤１との間で制御信号を送受するための信号伝送処理部５１と、後述するセキュリティーシステムの警戒を解除する暗証コードを入力設定するための操作設定部５２（操作設定手段）と、暗証コード、端末器としてアドレス情報などを含む設定情報を記憶するメモリ５３と、液晶パネルなどで構成される表示部５４とを備えている。
【００６６】
一方の警報監視盤１は、ロビーインターホン２、住戸用情報端末器５との間で呼出、通話、警報通知などのためシステムに必要な制御処理をする信号処理部１０と、ロビーインターホン２、住戸用情報端末器５との間で伝送される必要な信号を送受するための信号伝送処理部１１と、共同玄関の電気錠を解除するための暗証コードを登録する管理メモリ１２とを備えている。
【００６７】
ここに、管理メモリ１２は、住戸毎に暗証コードを登録させた共同玄関解錠用暗証テーブルを備えており、各住戸用情報端末器５から転送されて来た暗証コードは、その住戸用情報端末器５に対応して設けられたアドレスに書き換え可能に記憶される。
【００６８】
したがって、このようなハード構成によれば、住戸用情報端末器５側で、後述するような方法で操作設定部５２を操作して、セキュリティーシステムの警戒を解除するための暗証コードの登録が完了すると、住戸用端末器５の信号伝送処理部５１は、警報監視盤１の信号伝送処理部１１に登録した暗証コードを送信し、警報監視盤１では、受信した暗証コードを管理メモリ１２に転送して登録させることができ、これによって、後述するような基本動作が可能となる。図４（ａ）のステップ１０７〜１０９には、このような制御動作をフローチャートをもって示している。
【００６９】
また、このようなハード構成によれば、警報監視盤１が定期的に住戸用情報端末器５にアクセスした際に、その住戸用情報端末器５から返信されて来るメモリ５３に記憶された設定情報を受信し、受信した設定情報からセキュリティーシステムの警戒を解除するための暗証コードを抽出して、管理メモリ１２に登録させることもでき、同様な動作が可能となる。
【００７０】
住戸用情報端末器５のメモリ５３に記憶された設定情報は、警報監視盤１が住戸用端末器５に対して定期的にポーリングした際に返信信号として受け取ってもよいが、警報監視盤１がロビーインターホン２から呼出を受けた住戸用情報端末器５に対して呼出制御信号を伝送する際に、住戸用情報端末器５から設定情報を返信させてもよい。
【００７１】
図４（ｂ）のステップ１１０〜１１２には、警報監視盤１から住戸用情報端末器５にポーリングアクセスした際に、設定情報を受信し、そこから暗証コードを抽出して、管理メモリ１２に登録させる制御動作をフローチャートをもって示している。
【００７２】
ここで、住戸用情報端末器５側で登録された暗証コードを警報監視盤１に転送して登録する際、図４（ａ）に示すような制御方法を採用すれば、住戸用情報端末器５に暗証コードが登録されると、即座に警報監視盤１に、共同玄関解錠用の暗証コードとして登録できる。また、図４（ｂ）に示す制御方法を採用すれば、ポーリングによる伝送プログラムを利用できるので制御プログラムの大幅な変更を要しない。
【００７３】
図５は、住戸用情報端末器５を操作して実行される暗証コード登録モードを示している。
【００７４】
まず、住戸用情報端末器５における暗証コード入力動作について説明する。図６は、表示部５４の変化を示している。
【００７５】
住戸用情報端末器５の外観は、図３に示すようになっており、端末器本体は、壁面に埋め込まれ、あるいは壁面から露出した状態で設置され、その表面側には、表示部５４が設けられ、更に、適所に、ボタン５２Ａ〜５２Ｃが設けられている。ここに、ボタン５２Ａは防犯ボタンであり、先述した防犯システムを防犯警戒状態にするために操作される。また、ボタン５２Ｃは管理呼ボタンであり、警報監視盤１を呼び出すために操作される。更に、通話のためのマイクを表面に設け、スピーカと、音量調節スイッチは底面に設けている。なお、操作ボタン５２Ａから５２Ｃは、後述する動作においては異なる機能をなすので後述する。
【００７６】
このような住戸用情報端末器５によれば、暗証コード登録モードを実行するには、待機状態において、ボタン５２Ａと５２Ｂとを同時に押す（１００，１０１）。このとき、表示部５４の表示が図６（ａ）のようになるが、所定時間（ここでは５秒）、ボタン５２Ａとボタン５２Ｂを押し続ける。なお、５秒経たないうちにボタン５２Ａ、５２Ｂの同時操作をやめれば、その操作が無効とされ、元の待機状態に戻る。ボタン５２Ａ，５２Ｂの同時操作を５秒間しないと登録モードに移行しないので、このような操作を知らない部外者によって、勝手に暗証コードの書き換えが行われるといったことが防止できる。
【００７７】
そして、５秒経過すれば、暗証コードの受け付け開始となって、暗証コードの入力が可能となり、表示部５４の表示が図６（ｂ）のようになる。暗証コードの入力は、ボタン５２Ａ〜５２Ｃの操作で行われ、ここでは４けたの暗証コード入力をするようにしている（１０３）。
【００７８】
すなわち、ボタン５２Ａの操作は「１」の入力、ボタン５２Ｂの操作は「２」の入力、ボタン５２Ｃの操作は「３」の入力となり、数字を入力する毎に表示部５４の表示が、図６（ｃ）→（ｄ）→（ｅ）→（ｆ）と切り替わり、４けたのコードを入力した後（１０３）、所定時間（ここでは３秒）待ち、この間に５けた目の数字が入力されなければ（１０４，１０５）、登録すべき暗証コードが確定され、入力されたコードを自身のアドレスと対応付けてメモリに記憶し（１０６）、表示部５４の表示を図６（ｇ）のように切り替える。
【００７９】
なお、３秒待っている間に、５けた目の数字が入力されたら（１０４）、再度暗証コード入力のやり直しとなる。
【００８０】
このように、暗証コード登録モードの実行時には、表示部５４の表示が切り替わるので、通常他の用途に用いる表示部５４を、暗証コード登録モード実行中であることを示すものに転用でき、別途表示手段を設ける必要がなくなる。
【００８１】
なお、ここでは、暗証コードを４けた登録する構成としているが、本発明はこれに限られず、何けたのコードであってもよい。そのときには、当該けた数以上の数字が入力されたら、再度暗証コード入力のやり直しをさせればよい。
【００８２】
これに対し、従来の登録方法では、登録モードスイッチの操作により登録モードを実行させ、テンキーで暗証コードを入力し、再度登録モードスイッチを押し、登録スイッチを押すという手順を要していたので、高齢者や子供などがテンキー操作しずらく、また、部外者でも簡単に暗証コード設定ができセキュリティ上問題であったが、本登録方法では、以上のような行程を必要とすることで、高齢者や子供でも登録しやすく、部外者が簡単には暗証コード登録できなくなる。
【００８３】
また、以上のような操作方法では、通常では、防犯警戒セットなどの他の用途に用いる操作キーを操作して登録するので、部外者が勝手に暗証コードを書き換えることが容易ではなく、そのため、セキュリティ向上を図ることができる。
【００８４】
図７は、住戸用情報端末器におけるセキュリティーシステムの警戒解除の操作手順を示している。
【００８５】
住戸用情報端末器５に記憶された暗証コードは、図７に示すように、防犯警戒の解除用とされ、防犯警戒を解除するときには、住戸用情報端末器５において、ボタン５２Ａを操作し（２００）、続いて、ボタン５２Ａ〜５２Ｃを操作して暗証コードを入力する（２０１）。その後、所定時間（ここでは３秒）待機し、その間に５けた目の数字入力がなければ（２０２，２０３）、入力された暗証コードの正誤を判定し、メモリ５３のものと一致すれば（２０４）、防犯警戒を解除する。なお、３秒待っている間に、５けた目の数字が入力されれば所定のエラー表示を所定時間（ここでは５秒）行い、警戒解除操作のやりなおしとなる。
【００８６】
これにより、暗証コード入力後は、所定時間待たないと防犯システムの警戒が解除されないことを知らない部外者によって、勝手に解除操作されることがなく、セキュリティ上、有益にできる。
【００８７】
図８は、ロビーインターホンにおける共同玄関の電気錠解錠操作手順を示している。
【００８８】
住戸用情報端末器５から警報監視盤１に転送され、記憶された暗証コードは、共同玄関の解錠用とされる。
【００８９】
共同玄関を解錠させるときは、まず、ロビーインターホン２において、各住戸の住戸番号を入力する（３００）。ここで、最初に住戸番号を入力させているのは、暗証コードを盗用した部外者による解錠を防止してセキュリティ向上を図るためである。
【００９０】
しかしながら、住戸人の確認は、住戸番号の入力には限られず、セキュリティ確保上有益な手段、例えば、指紋入力、網膜情報入力、非接触ＩＤカードによるＩＤ入力などを用いてもよい。
【００９１】
そして、テンキー操作により暗証コードを入力する（３０１）。その後、５けた目の数字が入力されず（３０２）、確定キー（例えば「＊」キー）が操作されれば（３０３）、入力された暗証コードを警報監視盤１に出力する（３０５）。
なお、４けたの暗証コードの入力後に５けた目の数字が入力されれば所定のエラー表示を行い、解錠操作のやりなおしをさせる。これにより、４けたの暗証コード入力と確定キー操作を順次しなければ解錠操作ができないことを知らない部外者によって、盗用した暗証コードを用いて共同玄関Ｄが解錠されることがなく、セキュリティ上有益にできる。
【００９２】
そして、ロビーインターホン２から暗証コードを受け取った警報監視盤１は、管理メモリ１２に登録したものと照合し、一致すれば、電気錠制御盤７に解錠信号を出力して、共同玄関を解錠させる。
ついで、リピート暗証コードを利用した本発明の第２のシステムを説明する。このシステムの要部をなす住戸用情報端末器５と警報監視盤１とは、前述したものと同様のものが使用でき、また、このシステムでは、住戸用情報端末器による暗証コードの入力操作は同じ方法で行なわれる。
【００９３】
したがって、このシステムでは、各住戸の住人が、セキュリティーシステムの警戒を解除する暗証コードを登録させると、後述するような制御動作で、警報監視盤の管理メモリにリピート暗証コードとして自動登録される。
【００９４】
そのため、住戸人が共同玄関の電気錠を解錠操作する際には、自分の住戸のセキュリティーシステムの警戒を解除する暗証コードを、予め定められた回数だけ繰り返して入力する操作をするだけでよく、第１のシステムと比べた場合、警報監視盤の管理メモリに登録される暗証コードは、同一でないため、よりセキュリティー性が高いものといえる。
【００９５】
このシステムでは、例えば、共同玄関の解錠用として記憶させる暗証コードは、住戸用情報端末器５から暗証コードを受け取ったときに、信号処理部１０によって、その暗証コードを予め定められた複数回（ここでは２回）繰り返したものを、リピート暗証コードとして、管理メモリ１２に記憶させる。
【００９６】
すなわち、信号処理部１０は、住戸用情報端末器５から暗証コードとして、「１３２」というコードを受け取れば、これを２回繰り返して「１３２１３２」というリピート暗証コードに変換して、管理メモリ１２に記憶させる。
【００９７】
このようにすれば、例えば、住戸用情報端末器５が設置される住戸の住戸番号が「１３２」であれば、防犯警戒解除用として「１３２」を、共同玄関Ｄの解錠用としては「１３２１３２」と住戸人が記憶しておけばよく、それぞれの暗証コードが頭に残りやすい。
【００９８】
なお、ここでは、リピート暗証コードとして６けたの数字を用いているが、本発明ではこの例に限られず、何けたの数字であってもよい。
【００９９】
このようにして登録されたリピート暗証コードは、共同玄関に設置された電気錠を解錠させるために用いられる。すなわち、共同玄関を解錠する際には、ロビーインターホン２において、各住戸の住戸番号を入力し（４００）、テンキー操作によりリピート暗証コード（ここでは６けた）を入力する（４０１）。その後、７けた目の数字が入力されず（４０２）、確定キー（ここでは「＊」キー）が操作されれば（４０３）、入力されたリピート暗証コードを警報監視盤１に出力する（４０４）。なお、６けたのリピート暗証コードの入力後に、７けた目の数字が入力されれば所定のエラー表示（４０５）を行い、解錠操作のやりなおしをさせる。
【０１００】
そして、ロビーインターホン２から暗証コードを受け取った警報監視盤１は、管理メモリ１２のものとの正誤を判定し、一致すれば、電気錠制御盤７に解錠信号を出力して、共同玄関を解錠させる。
【０１０１】
ここで、先述の暗証コード登録時、防犯警戒解除時、共同玄関の解錠時には、操作ガイダンスを音声で出力してもよい。こうすれば、目の不自由な人、高齢者、子供など、装置の操作に疎い人でも容易に操作できる。
なお、このシステムでは、住戸用情報端末器５に、セキュリティーシステムの警戒解除のための暗証コードが登録されると、住戸用情報端末器５は、登録した暗証コードを予め特定された複数回だけ繰り返したリピート暗証コードに変更してから警報監視盤１に送信し、これを受信した警報監視盤１では、リピート暗証コードを管理メモリ１２に登録してもよい。
なお、上記した第１、第２のいずれのシステムにおいても、住戸用情報端末器５、警報監視盤１に登録した暗証コードは、所定操作により任意に選択して消去できるようにしてもよい。すなわち、住戸用情報端末器５では、例えば、暗証コード登録モードにおいて、ボタン５２Ｂを操作して消去モードを実行させ、任意のコードをボタン５２Ａ〜５２Ｃの操作により入力して消去する手順があり、警報監視盤１では、例えば、消去指示入力、住戸番号、消去すべき暗証コードを順次入力して消去する手順があるが、部外者が容易に消去できないようにすることが肝要である。
【０１０２】
【発明の効果】
以上の説明からも理解できるように、請求項１〜６に記載の本発明システムによれば、各住戸に設置された住戸用情報端末器に、セキュリティーシステムの警戒解除のための暗証コードを登録すれば、その登録された暗証コードは、住戸用情報端末器から警報監視盤に自動的に転送され、共同玄関の解錠のための暗証コードとして登録されるように構成している。
【０１０３】
そのため、共同玄関を解錠するための暗証コード、各住戸のセキュリティーシステムの警戒解除のための暗証コードを、個別に暗記しておく必要がない。
【０１０４】
また、暗証コードは、各住戸に応じて任意に設定できるので、共同玄関の解錠用に設定した暗証コードが部外者には特定し難い。したがって、操作が簡易となり、高齢者などにとっても煩雑感を与えず、使い勝手よく、セキュリティーにも優れたシステムが実現できる。
【０１０５】
また、請求項７〜１２に記載の本発明システムによれば、各住戸に設置された住戸用情報端末器に、セキュリティーシステムの警戒解除のために、各住戸の住戸番号を暗証コードとして登録すれば、その登録された暗証コードは、住戸用情報端末器から警報監視盤に自動的に転送され、管理メモリに、暗証コードを複数回繰り返したリピート暗証コードとなって登録されるように構成している。
【０１０６】
そのため、住戸のセキュリティーシステムの警戒解除のための暗証コードを、個別に暗記しておく必要がない。
【０１０７】
また、暗証コードは、各住戸の住戸番号を複数回繰り返したリピート暗証コードが設定できるので、共同玄関の解錠用に設定した暗証コードが部外者には特定し難い。したがって、操作が簡易となり、高齢者などにとっても煩雑感を与えず、使い勝手のよいシステムが実現できる。
【０１０８】
また、請求項１５によれば、住戸内に設置された防犯センサ、防災センサなどの発報を監視するセキュリティーシステムを組み込んだ集合住宅セキュリティー管理システムを実現することができる。
【図面の簡単な説明】
【図１】本発明システムの全体構成を示す図である。
【図２】住戸用情報端末器と警報監視盤の内部構成を示すブロック図である。
【図３】住戸用情報端末器の外観例を示す図である。
【図４】（ａ）は暗証コードの登録／転送制御の一例を示すフローチャート、（ｂ）は暗証コードの登録／転送制御の他例を示すフローチャート。
【図５】住戸用情報端末器における暗証コード登録モードの操作手順を示すフローチャートである。
【図６】暗証コード登録時における住戸用情報端末器の表示部の表示変化の態様を示す図である。
【図７】セキュリティーシステムの警戒解除時における住戸用情報端末器の操作手順と、制御手順を示すフローチャートである。
【図８】共同玄関の電気錠を解錠させる時のロビーインターホンの操作手順と、制御手順を示すフローチャートである。
【図９】第２の本発明システムにおける共同玄関の電気錠を解錠させる時のロビーインターホンの操作手順と、制御手順を示すフローチャートである。
【図１０】従来の集合住宅セキュリティー管理システムの全体構成を示す図である。
【符号の説明】
１・・・警報監視盤
２・・・ロビーインターホン
５・・・住戸用情報端末器
７・・・電気錠制御盤
Ｄ・・・共同玄関
Ｌ１・・・制御通話線
Ｌ２・・・映像線
Ｌ３・・・制御線
１０・・・信号処理部
１１・・・信号伝送処理部
１２・・・管理メモリ
５０・・・信号処理部
５１・・・信号伝送処理部
５２・・・操作設定部
５３・・・メモリ
５４・・・表示部
【図１】
2004086637.tif 000003
【図２】
2004086637.tif 000004
【図３】
2004086637.tif 000005
【図４】
2004086637.tif 000006
【図５】
2004086637.tif 000007
【図６】
2004086637.tif 000008
【図７】
2004086637.tif 000009
【図８】
2004086637.tif 000010
【図９】
2004086637.tif 000011
【図１０】
2004086637.tif 000012